(57)【要約】【課題】ＩＣカードの出入時に、塵埃等が筐体内に侵入するのを抑制した情報記録担体読取書込装置に関する。【解決手段】筐体１と、筐体に設け、ＩＣカード７が出入される挿入口４と、挿入口を常に閉じ、ＩＣカードの挿入により回動して開くシャッタ２を備え、シャッタは挿入口に臨む前面に突出部２ａを設け、突出部はＩＣカードを案内し、かつＩＣカードとの相対的な動きでシャッタ２が下方へ回動するように傾斜面を有し、突出部のないシャッタ２の前面２ｂは下向き傾斜面にしたものである。ＩＣカードを挿入する時、シャッタに付着した塵埃を筐体内部に侵入させないシャッタ機構を提供する。【選択図】  図１
2004326421.tif 000002
【特許請求の範囲】
【請求項１】
筐体と、前記筐体に設け、情報記録担体が出入される挿入口と、前記挿入口を常に閉じ、前記情報記録担体の挿入により回動して開くシャッタを備え、前記シャッタは前記挿入口に臨む前面に突出部を設け、前記突出部は前記情報記録担体を案内し、かつ情報記録担体との相対的な動きで前記シャッタが下方へ回動するように傾斜面を有し、前記突出部のないシャッタの前面は下向き傾斜面にしてなる情報記録担体読取書込装置。
【請求項２】
筐体と、前記筐体に設け、情報記録担体が出入される挿入口と、前記挿入口を常に閉じ、前記情報記録担体の挿入により回動して開くシャッタを備え、前記シャッタは前記挿入口に臨む前面に突出部を設け、前記突出部は前記情報記録担体を案内し、かつ情報記録担体との相対的な動きで前記シャッタが下方へ回動するように傾斜面を有し、さらに前記シャッタは前記傾斜面の後方に位置して、前記筐体内に入る塵埃等の排出部を設けてなる情報記録担体読取書込装置。
【請求項３】
筐体と、前記筐体に設け、情報記録担体が出入される挿入口と、前記挿入口を常に閉じ、前記情報記録担体の挿入により後端を支点に下方へ回動して開くシャッタと、前記挿入口の近くで、かつ前記筐体の下面に設けた開口部を備え、前記筐体内に前記情報記録担体を挿入するときに、前記シャッタが開くことで前記筐体内に入る塵埃等を前記開口部から排出する情報記録媒体読取書込装置。
【請求項４】
シャッタは回転中心となる回転軸を有し、この回転軸を情報記録担体が通る面よりも下側に配置した請求項１から３のいずれか１項に記載の情報記録担体読取書込装置。
【請求項５】
請求項１から４のいずれか１項に記載の情報記録担体読取書込装置におけるシャッタを搭載した情報端末。
【発明の詳細な説明】
【０００１】
【発明の属する技術分野】
本発明は、情報記録担体読取書込装置や情報端末に関し、特に装置や端末を構成する筐体前面に、ＩＣカードやフレキシブルディスク・ＣＤ・ＭＤ等の情報記録担体を出入するために設けた挿入口のシャッタ機構に係るものである。
【０００２】
【従来の技術】
近年、パソコンにＩＣカードリーダを接続してＩＣカードを読み取り、個人認証用に使用するＰＣＳＣが普及しつつある。また、周知のようにパソコンにはフレキシブルディスクを読み書きするフレキシブルディスクドライブ（ＦＤＤ）やメモリーカードを挿入するカードリーダライタ等の情報記録担体読取書込装置が配設してあり、各種の情報記録担体を挿入してパソコン内部のＣＰＵと情報の授受をしている。
【０００３】
それらの情報記録担体を挿入する挿入口には、挿入口を閉じていて情報記録担体を挿入すると内側に開く簡易のシャッタ機構が設置してあり、筐体内部に塵埃が侵入するのを防止している。従来、この種のシャッタ機構は図７（ａ）〜（ｃ）に示すようなもの（例えば、特許文献１参照）が知られている。ここで、情報記録担体読取書込装置の代表例としてＰＣＳＣ、情報記録担体の代表例としてＩＣカードを用いて内容の説明をする。
【０００４】
図７（ａ）〜（ｃ）において、２１はＰＣＳＣの筐体で、前面にＩＣ接点（図示せず）を有するＩＣカード７を出入する挿入口２４を有する。２２はシャッタで、回転軸２２ｂにより上端を挿入口２４の内部上端に軸支され、回転軸２２ｂに設けたシャッタ戻しバネ２３に付勢されて常には挿入口２４をシャッタ２２の前面２２ａで内側から閉じていて、ＩＣカード７が挿入されると回転軸２２ｂを支点に上方へ回転して挿入口２４を開くものである。図中、２６はＩＣ接点コンタクト、７ａはＩＣカードの端面である。
【０００５】
以上のように構成されたシャッタ機構について、その動作を説明する。図７（ａ）に示すように、シャッタ２２はシャッタ戻しバネ２３の付勢力により挿入口２４がある筐体２１の裏面に常時密着している。そして、図７（ｂ）に示すように、ＩＣカード７を挿入口２４より挿入すると、ＩＣカード７はシャッタ２２を内側に押し上げてシャッタ２２の前面２２ａを擦りながら、筐体２１内部に挿入される。
【０００６】
しかし、従来のＰＣＳＣに設置しているシャッタ２２の材質は、通常帯電し易いプラスチック（ＡＢＳ樹脂）で出来ているため、空気中に浮遊する塵埃はシャッタ２２の前面２２ａに引き寄せられて付着していることがある。そして、シャッタ２２の回転軸２２ｂはＩＣカード７が通る面の上側に配置されているため、ＩＣカード７を挿入するとシャッタ７はシャッタ戻しバネ２３の付勢力に抗して筐体２１の内部上側に回動する。
【０００７】
このように、ＩＣカード７は端面７ａがシャッタ２２の前面２２ａを内部側に押し上げ、擦りながら挿入口２４より入るため、図７（ｃ）に示すように、シャッタ２２の挿入口２４近傍やシャッタ２２の前面２２ａに付着した塵埃（図中に黒点で示す）を筐体２１の内部に侵入させ、塵埃がＩＣカード７のＩＣ接点とＩＣ接点コンタクト２６の接触部に挟まり、接触不良を起こすことにより情報の授受が正しく行われないという問題を有していた。
【０００８】
【特許文献１】
特開平０８−３２９６６５号公報（第３図）
【０００９】
【発明が解決しようとする課題】
上記従来の技術の問題点に鑑み、本発明が解決しようとする課題は、情報記録担体の出入時に、塵埃等が筐体内に侵入するのを抑制した情報記録担体読取書込装置およびそれを設けた情報端末を提供することにある。
【００１０】
【課題を解決するための手段】
上記目的を達成するために本発明の請求項１に記載の情報記録担体読取書込装置は、筐体と、前記筐体に設け、情報記録担体が出入される挿入口と、前記挿入口を常に閉じ、前記情報記録担体の挿入により回動して開くシャッタを備え、前記シャッタは前記挿入口に臨む前面に突出部を設け、前記突出部は前記情報記録担体を案内し、かつ情報記録担体との相対的な動きで前記シャッタが下方へ回動するように傾斜面を有し、前記突出部のないシャッタの前面は下向き傾斜面にしたものである。
【００１１】
上記手段によれば、挿入口より筐体内に情報記録担体を挿入したとき、シャッタは挿入される情報記録担体の下側へ逃げるとともに、情報記録担体は端面がシャッタの突出部の傾斜面のみに案内されるだけなので、突出部の傾斜面に付着した塵埃を、情報記録担体の端面で後方に押しやるだけとなり、突出部の幅を小さくすればするほど筐体内に押しやる塵埃を僅かにでき、しかも突出部のないシャッタの前面は下向き傾斜面にしているので、塵埃の付着も少なくでき、全体として筐体内への塵埃の侵入を大幅に抑制できる。
【００１２】
請求項２に記載の情報記録担体読取書込装置は、筐体と、前記筐体に設け、情報記録担体が出入される挿入口と、前記挿入口を常に閉じ、前記情報記録担体の挿入により回動して開くシャッタを備え、前記シャッタは前記挿入口に臨む前面に突出部を設け、前記突出部は前記情報記録担体を案内し、かつ情報記録担体との相対的な動きで前記シャッタが下方へ回動するように傾斜面を有し、さらに前記シャッタは前記傾斜面の後方に位置して、前記筐体内に入る塵埃等の排出部を設けたものである。
【００１３】
上記手段によれば、挿入口より筐体内に情報記録担体を挿入したとき、シャッタは挿入される情報記録担体の下側へ逃げるとともに、情報記録担体は端面がシャッタの突出部の傾斜面のみに案内されるだけなので、突出部の傾斜面に付着した塵埃を、情報記録担体の端面で後方に押しやるだけとなり、突出部の幅を小さくすればするほど筐体内に押しやる塵埃を僅かにでき、しかも情報記録担体の端面で後方に押しやられた前記塵埃は、前記突出部の後方に位置する排出部から排出でき、全体として筐体内への塵埃の侵入を大幅に抑制できる。
【００１４】
請求項３記載の情報記録担体読取書込装置は、筐体と、前記筐体に設け、情報記録担体が出入される挿入口と、前記挿入口を常に閉じ、前記情報記録担体の挿入により後端を支点に下方へ回動して開くシャッタと、前記挿入口の近くで、かつ前記筐体の下面に設けた開口部を備え、前記筐体内に前記情報記録担体を挿入するときに、前記シャッタが開くことで前記筐体内に入る塵埃等を前記開口部から排出するものである。
【００１５】
上記手段によれば、挿入口より筐体内に情報記録担体を挿入したとき、シャッタは挿入される情報記録担体の下側へ逃げるとともに、シャッタの前面に付着した塵埃および筐体内に入る塵埃は、自重や振動で落下し筐体の下面の開口部から排出でき、全体として筐体内への塵埃の侵入を大幅に抑制できる。
【００１６】
請求項４記載の情報記録担体読取書込装置は、請求項１から３のいずれか１項の記載において、シャッタは回転中心となる回転軸を有し、この回転軸を情報記録担体が通る面よりも下側に配置したものである。この手段によれば、挿入口より筐体内に情報記録担体を挿入したとき、シャッタは挿入される情報記録担体の下側へ逃げ込み、かつ情報記録担体が挿入後に接するシャッタの上面は挿入口を閉じているときには筐体内にあって塵埃の付着することのない状態にあるので、挿入口への出入時における情報記録担体への塵埃の付着を防止することができる。
【００１７】
請求項５記載の端末は、請求項１から４のいずれか１項に記載の情報記録担体読取書込装置におけるシャッタを搭載したものである。この手段によれば、各請求項に記載の情報記録担体読取書込装置と同じような作用効果を有する情報端末にできる。
【００１８】
【発明の実施の形態】
本発明の目的は各請求項に記載した構成を実施の形態の要部とすることにより達成できるので、以下には各請求項に対応する一実施例についての詳細を、図１〜図６を参照して説明し、本発明の実施の形態についての説明とする。
【００１９】
（実施の形態１）
図１（ａ）は、本発明の実施の形態１における情報記録担体読取書込装置であるＰＣＳＣに、ＩＣカードの挿入直前状態であるシャッタが閉じた状態を示す概略断面図で、図１（ｂ）は、同じくＩＣカードがシャッタに接触した状態を示す概略断面図で、図１（ｃ）は、同じくＩＣカードがシャッタを押し開き、通りすぎたときの状態を示す概略断面図である。
【００２０】
図２（ａ）は、同ＰＣＳＣにおける挿入口のシャッタのみを示す斜視図で、図２（ｂ）は、同じくシャッタの他の例の斜視図である。図３（ａ）は、同ＰＣＳＣにおけるシャッタから塵埃が落下する状態を示す概略中央断面図で、図３（ｂ）は、同ＰＣＳＣにおけるＩＣカードがシャッタを完全に通り過ぎた状態を示す概略中央断面図である。図４は、同ＰＣＳＣを下面から見た斜視図で、図５は、同ＰＣＳＣをテーブル上に設置した斜視図である。
【００２１】
１は情報記録担体読取書込装置としてのＰＣＳＣの筐体で、情報記録担体としてのＩＣカード７の情報を読み取り、書込みする読取書込装置（図示せず）を内蔵し、かつ前面にＩＣカード７を出入する横方向に細長い挿入口４を有する。２は筐体１の挿入口４を開閉するシャッタで、挿入口４からの塵埃の侵入を防止する構成にしてある。
【００２２】
すなわち、シャッタ２は、挿入されたＩＣカード７の下側に位置するように挿入口４より奥の筐体１の底面に軸支した回転軸２ｄにより後端を軸支され、かつ回転軸２ｄに設けたシャッタ戻しバネ３に付勢されて常には挿入口４の上縁にシャッタ２の前面２ｂの上縁を内側から当接させて略閉じていて、ＩＣカード７が挿入されると回転軸２ｄを支点に下方へ回転して挿入口４を開くものである。
【００２３】
また、シャッタ２は、筐体１の挿入口４の両端に臨むように、前面２ｂの両端に、前面を上向き傾斜面に形成した約２ｍｍの細幅の突出部２ａを設けるとともに、突出部２ａのないシャッタ２の略全体の前面２ｂは空気中に浮遊する塵埃等が付着し難くするため下向き傾斜面に形成してある。
【００２４】
従って、シャッタ２は図１（ｂ）、（ｃ）に示すように、挿入口４より挿入されたＩＣカード７の端面７ａが、挿入口４の両側に臨む突出部２ａの上向き傾斜面に当接しながら案内されて筐体１内に進み、かつＩＣカード７との相対的な動きにより、筐体１の下方へ回動して挿入口４を開くとともに、図１（ａ）に示すように、シャッタ２の突出部２ａおよび前面２ｂの上縁が、挿入口４の上縁に当接し、かつ前面２ｂが上縁を頂点として下向き傾斜面に形成してあるため、挿入口４との間に傾斜度合いによる僅かな隙間が生じた状態で、常に略閉じているとするもので、シャッタ２の上面２ｅには筐体１内にあって塵埃の付着は起こらないように構成してある。
【００２５】
図中、６はＩＣ接点コンタクト、７ｂはＩＣカード７の上面に設置してあるＩＣ接点（図４に示す）である。
【００２６】
以上のように構成されたＰＣＳＣのシャッタ機構について、その動作を説明する。通常、ＰＣＳＣは図４、図５に示すようにＩＣカード７を挿入しやすくするために筐体１の底面に配設されているスタンド２７を外側に起こした状態で、テーブル上に置かれることが多い。そのため、挿入口４やシャッタ２はテーブル上の設置面に対して斜め上を向くことになり、空気中に浮遊する塵埃が筐体１やシャッタ２が帯電した静電気により引き寄せられるだけでなく、挿入口４やシャッタ２の近傍に落下して付着していることがある。
【００２７】
然るに、ＩＣカード７を挿入しないとき、シャッタ２は図１（ａ）に示すように、突出部２ａおよび前面２ｂの上縁が、シャッタ戻しバネ３の付勢力により筐体１の挿入口４における内周の上縁に密着して略閉じている。この構成により、ＩＣカード７を挿入口４より筐体１に挿入したとき、図１（ｂ）、（ｃ）に示すようにＩＣカード７の両端２ｍｍだけが、シャッタ２の突出部２ａの傾斜面に当接しながら筐体１内に移動し、この移動と相対的にシャッタ２を下側に押し下げる（ＩＣカード７が筐体１内に入りやすくするガイド役を突出部２ａがする）ことにより、筐体１の下方に回動して挿入口４を開き筐体１内へＩＣカード７が挿入される。
【００２８】
また、シャッタ２は突出部２ａのない前面２ｂ（中間部分）が、下向き傾斜面に形成してあって、かつシャッタ２の突出部２ａおよび前面２ｂの上縁が、挿入口４の上縁に当接しているだけで、それ以外の箇所が挿入口４との間に隙間が生じていても下向き傾斜面なので、塵埃が浮遊してきても付着や堆積がし難くすることができ、そして筐体１との間に隙間をつくるためでもある。
【００２９】
以上のように本実施の形態によれば、シャッタの前面をできるだけ少ない面積で情報記録担体の挿入ガイド役をする上向き傾斜面を有する突出部と、できるだけ広い面積で塵埃が付着し難いように下向き傾斜面の前面を設けることにより、筐体内に侵入する塵埃を効率良く少なくすることができる。
【００３０】
また、情報記録担体は、その端面がシャッタの突出部の傾斜面に当接しながら、傾斜面に付着した塵埃を擦り上げ、塵埃を付着したまま筐体１内に侵入したとしても、情報記録担体の幅方向の両端における僅かな幅に付着するだけで、かつＩＣ接点コネクタの設置されている中央部からも離れているため、情報記録担体の情報の読み書きに影響を及ぼすことはない。
【００３１】
なお、本実施例でシャッタ２に設けた両端の突出部２ａは上向き傾斜面に形成しているが、略Ｒ形状にしてもよい。また、シャッタ２の突出部２ａのない前面２ｂは下向き傾斜面に形成しているが、前記傾斜面より僅かに窪んだ形状（凹状）であってもよい。さらに、シャッタ２の突出部２ａは前面２ｂの両端に設けたが、図２（ｂ）に示すようにシャッタ２の両端以外における前面２ｂの中央部に配設しても良い。
【００３２】
（実施の形態２）
本発明の実施の形態２について、図１（ａ）〜（ｃ）、図２（ａ）、図３（ａ）、（ｂ）を用いて、実施の形態１と同様の構成並びに作用効果を奏するところには同一の符号を付して詳細な説明を省略し、異なるところを中心に説明する。
【００３３】
本実施の形態において、実施の形態１と異なるところは、シャッタ２の突出部２ａの直ぐ後方に、突出部２ａの幅より、すこし幅広い切り欠き等の排出部２ｃを設けた点である。すなわち、排出部２ｃは、挿入口４より差し込まれたＩＣカード７の端面７ａがシャッタ２の突出部２ａの傾斜面に当接しながら筐体１内に案内され、このときに突出部２ａの傾斜面に付着した塵埃が擦り上げられて、直ぐ後の排出部２ｃに落とし込んで排出する構成にしている。
【００３４】
以上のように構成されたシャッタ機構において、その動作を説明する。ＩＣカード７を挿入口４より筐体１内部に挿入するとき、シャッタ２の両端における突出部２ａの傾斜面上に付着した塵埃は、ＩＣカード７を筐体１内に挿入することにより、ＩＣカード７の端面７ａにより擦り上げられてシャッタ２の上面２ｅの両端に移動する。
【００３５】
そして、図１（ｃ）に示すように突出部２ａの直ぐ後で、突出部２ａの幅よりすこし幅広い排出部２ｃに、ＩＣカード７の前面７ａによって押された塵埃は排出部２ｃ上をＩＣカード７が通過する際に自重により矢印１１で示すように落とし込まれるのである。
【００３６】
以上のように本実施の形態によれば、シャッタの突出部の後方に排出部を設けることにより、塵埃は筐体１内部にはほとんど侵入しないようにすることができる。
【００３７】
なお、本実施の形態ではシャッタ２の前面２ｂにおける両端の突出部２ａの直ぐ後に排出部２ｃを設けたが、図２（ｂ）に示すようにシャッタ２の前面２ｂの中央部に突出部２ａを設けている場合は、中央部の突出部２ａの直ぐ後において略四角形の貫通孔の排出部２ｃを配設しても、本実施の形態と同様の作用効果を期待できる。
【００３８】
（実施の形態３）
本発明の実施の形態３について、図１（ａ）、（ｂ）、（ｃ）〜図５を用いて、実施の形態１と同様の構成並びに作用効果を奏するところには同一の符号を付して詳細な説明を省略し、異なるところを中心に説明する。
【００３９】
本実施の形態において、実施の形態１と異なるところは、シャッタ２の排出部２ｃおよびシャッタ２の前面２ｂと挿入口４との間に生じた僅かな隙間の下方において、筐体１内の下面にシャッタ２の幅とほぼ同等幅の開口部５を設けた点で、これより塵埃を筐体１外に排出するものである。
【００４０】
以上のように構成されたシャッタ機構において、その動作を説明する。ＩＣカード７を筐体１の挿入口４に挿入することにより、実施の形態１で説明したと同じように、挿入されたＩＣカード７の作用でシャッタ２が開き下側に回動することにより、シャッタ２における両端の突出部２ａ以外の前面２ｂに付着した塵埃は、ＩＣカード７に接触せずに振動や自重で下側に落下する。そして、筐体１の下面に開口するシャッタ２の幅とほぼ同等幅の開口部５より、矢印１１で示すように筐体１の外部に排出される。
【００４１】
また、図３（ａ）、（ｂ）に示すように、シャッタ２の前面２ｂの傾斜面によって筐体１の挿入口４との間にできた隙間に塵埃が浮遊してきても開口部５から矢印１１で示すように下側に落下させることができる。
【００４２】
以上のように本実施の形態によれば、筐体の挿入口近くの下部に開口部を設けたことにより、シャッタや挿入口に付着した塵埃を筐体外部に排出することができる。なお、本実施の形態における筐体１の開口部５にトレーを配置して塵埃をある程度、溜めてから廃棄することにしても良い。
【００４３】
（実施の形態４）
本発明の実施の形態４について、図１（ａ）、（ｂ）、（ｃ）〜図５を用いて、実施の形態１と同様の構成並びに作用効果を奏するところには同一の符号を付して詳細な説明を省略し、異なるところを中心に説明する。
【００４４】
本実施の形態において、実施の形態１と異なるところは、シャッタ２の回転中心となる回転軸２ｄを、ＩＣカード７が通る面よりも下側に配置できるように、筐体１の下部に軸受け１ａを設けた点である。実施の形態１と実施の形態２に使用されるシャッタ機構において、シャッタ２は回転中心となる回転軸２ｄを有し、この回転軸２ｄはＩＣカード７が通る面よりも下側の筐体１の底面上に設けた軸受け１ａに軸受けされている。そして、シャッタ２の回転軸２ｄはスナップフィットで軸受け１ａに装着される。
【００４５】
以上のように構成されたシャッタ機構において、その動作を説明する。ＩＣカード７が挿入口４から挿入されると、シャッタ２は回転軸２ｄを回転中心としてＩＣカード７が通る面より下側に回動するため、ＩＣカード７はシャッタ２の両端の突出部２ａを通過すると、筐体１内にあって塵埃の付着することのないシャッタ２の上面２ｅを通過することになり、ＩＣカード７に塵埃が付着し難くくできる。
【００４６】
以上のように本実施の形態によれば、挿入口より筐体内に情報記録担体を挿入したとき、シャッタは挿入される情報記録担体の下側へ逃げ込み、移動する情報記録担体が接するシャッタの上面は挿入口を閉じているとき筐体内にあって塵埃の付着することのない状態にあるので、挿入口への出入時における情報記録担体への塵埃の付着を防止することができる。
【００４７】
（実施の形態５）
図６（ａ）〜（ｃ）は、本発明の実施の形態５における情報端末のシャッタ機構を示す概略断面図で、図６（ａ）はＩＣカードを筐体内に挿入する直前の状態を、図６（ｂ）はＩＣカードを筐体内に挿入を開始した状態を、図６（ｃ）はＩＣカードが筐体内に挿入されたときの状態をそれぞれ示している。
【００４８】
本実施の形態におけるシャッタ機構は、実施の形態１〜４で説明したシャッタ機構の全てを採用できるもので、従って実施の形態１〜４と同一の構成並びに作用効果を奏するところには同一の符号を付して詳細な説明を省略し、異なるところを中心に説明する。
【００４９】
１３はシャッタ機構を前面パネル９に搭載した情報端末の筐体で、内部にシャッタ機構を搭載しない情報記録担体読取書込装置８を内装している。１０は前面パネル９に設けた挿入口で、１２は前面パネル９に設けた開口部である。
【００５０】
以上のように構成された情報端末について、その動作を説明する。シャッタ２を中心とする機構の動作は、実施の形態１〜４で説明したのと同一であるので詳細な説明は省略する。そして、図６（ａ）に示すように、筐体１３の下面に回転軸２ｄを有するシャッタ２は、シャッタ戻しバネ３の付勢力により、筐体１３の前面パネル９の裏面に密着して挿入口１０を閉じている。
【００５１】
ＩＣカード７を前面パネル９の挿入口１０より筐体１３の内部に挿入すると、図６（ｂ）に示すように、前面パネル９における挿入口１０の内周の上面に当接したシャッタ２は、ＩＣカード７で筐体１３の下方に押し下げられる。さらに、ＩＣカード７を挿入すると、図６（ｃ）に示すように、シャッタ機構を搭載しない情報記録担体読取書込装置８の情報記憶媒体引き込み装置（図示せず）が作動してＩＣカード７は筐体１３内部に移動する。
【００５２】
そして、シャッタ２に付着した塵埃は、実施の形態１〜４で採用した構成を組み合わせたシャッタ機構を、筐体１３の前面パネル９に設置することにより、筐体１３内部に侵入しないようにできる。
【００５３】
また、筐体１３の前面パネル９に設けた挿入口１０近傍のシャッタ２設置部の下部に、シャッタ２とほぼ同等幅の開口部１２を設置しているので、シャッタ２の前面２ｂおよび挿入口１０に付着した塵埃は、シャッタ２の開成時に振動や自重で落下して開口部１２より筐体１３外に排出される。
【００５４】
以上のように本実施の形態によれば、筐体の前面パネルにシャッタやシャッタの下部に位置する筐体の底部に開口部を設け、シャッタの前面に付着した塵埃を筐体の外部に排出することにより、空気中からの塵埃の侵入を防止しているため、筐体内に設置する情報担体読取書込装置にはシャッタを搭載する必要がない。
【００５５】
また、シャッタが閉まっているとき、塵埃はシャッタの前面と筐体１の挿入口との隙間を通って開口部より筐体外部に排出できる。
【００５６】
【発明の効果】
以上のように本発明は、空気中に浮遊する塵埃だけでなく、シャッタに付着した塵埃も、筐体内部に侵入するのを抑制することができる。
【図面の簡単な説明】
【図１】（ａ）本発明の実施の形態１〜４における情報記録担体読取書込装置のシャッタが閉じた状態を示す概略断面図
（ｂ）同情報記録担体読取書込装置のシャッタにＩＣカードが接触した状態を示す概略断面図
（ｃ）同情報記録担体読取書込装置のシャッタをＩＣカードが通りすぎたときの状態を示す概略断面図
【図２】（ａ）本発明の実施の形態１〜４における情報記録担体読取書込装置のシャッタを示す斜視図
（ｂ）同実施の形態１〜４における情報記録担体読取書込装置のシャッタで、他の例を示す斜視図
【図３】（ａ）本発明の実施の形態２における情報記録担体読取書込装置のシャッタ部分から塵埃が落下する状態を示す概略断面図
（ｂ）同情報記録担体読取書込装置のシャッタ部分をＩＣカードが通り過ぎた状態を示す概略断面図
【図４】本発明の実施の形態１〜４における情報記録担体読取書込装置を底面方向から見た斜視図
【図５】同実施の形態１〜４における情報記録担体読取書込装置をテーブル上に設置した斜視図
【図６】（ａ）本発明の実施の形態５における情報端末にＩＣカードを挿入する直前状態を示す概略断面図
（ｂ）同情報端末にＩＣカードの挿入開始時を示す概略断面図
（ｃ）同情報端末にＩＣカードが完全に挿入された時の状態を示す概略断面図
【図７】（ａ）従来の情報記録担体読取書込装置におけるＩＣカードの挿入直前状態を示す概略断面図
（ｂ）同情報記録担体読取書込装置へＩＣカードの挿入開始時を示す概略断面図
（ｃ）は同情報記録担体読取書込装置へＩＣカードが完全に挿入された状態を示す概略断面図
【符号の説明】
１、１３  筐体
２  シャッタ
２ａ  突出部
２ｂ  前面
２ｃ  排出部
２ｄ  回転軸
２ｅ  上面
４、１０  挿入口
５、１２  開口部
７  ＩＣカード（情報記録担体）
８  情報記録担体読取書込装置
【図１】
2004326421.tif 000003
【図２】
2004326421.tif 000004
【図３】
2004326421.tif 000005
【図４】
2004326421.tif 000006
【図５】
2004326421.tif 000007
【図６】
2004326421.tif 000008
【図７】
2004326421.tif 000009